(57)【特許請求の範囲】
【請求項１】
コード本体の一端にコード軸と直交する内部機器接続用の第１の接続部が設けられ、前記コード本体の他端に外部接続用の第２の接続部が設けられた前記第１の接続部が取付体に支持される接続コードと、
前記取付体の前記第１の接続部の取付面に直交する軸回りに回動自在に支持され、前記接続コードの第１の接続部の前記取付体に平行で、コード軸を挟んだ２部位及び前記取付体に直交する１部位の少なくとも３部位を係止する第１の位置及び前記係止を解除する第２の位置を司る係止部が設けられたコード固定部材と
を具備したコード位置決め装置。
【請求項２】
前記取付体は、電子機器の機器筐体であることを特徴とする請求項１記載のコード位置決め装置。
【請求項３】
前記第２の接続部は、コード本体の他端にコード軸と同軸的に設けられることを特徴とする請求項１又は２記載のコード位置決め装置。
【発明の詳細な説明】
【０００１】
【発明の属する技術分野】
この発明は、例えばシステムコンピュータを構成するサーバー等の電子機器に係り、特に、その内部機器に接続される電源用等の接続コードを、機器筐体内に固定して位置決めするのに用いるコード位置決め装置に関する。
【０００２】
【従来の技術】
従来、この種の電子機器の電源用接続コードは、図５に示すようにコード本体１の一端に接続部、例えば内部機器接続用の機器接続プラグ２が設けられ、コード本体１の他端に外部接続部、例えば外部電源接続用の外部接続プラグ３が設けられる。そして、このコード本体１は、その機器接続プラグ２が電子機器の機器筐体４に取付けられた状態で、機器筐体４内に収容される内部機器５に接続される。また、コード本体１の外部接続プラグ３は、図示しない電源コンセント等に接続される。
【０００３】
ところで、このような接続コードは、機器筐体４内において、その機器接続プラグ２が機器筐体４から離脱しないようにコード本体の位置決めが行われる。このコード位置決め手段としては、別体のコード結束具６をコード本体１の機器接続プラグ２の近傍に取付けて、このコード結束具６を螺子部材７を用いて機器筐体４の所定の位置に螺着することにより、位置決めされる。これにより、コード本体１は、その機器接続プラグ側が機器筐体４内に位置決めされて内部機器５からの離脱が防止されて、電源と内部機器との安定した接続が実現される。
【０００４】
しかしながら、上記接続コードのコード位置決め手段では、コード本体１の機器接続プラグ２を内部機器５に接続した状態で、別体のコード結束具６をコード本体１に取付けて、このコード結束具６をドライバ等の取付け工具を用いて機器筐体４等の取付体に取付けて位置決めする構成のために、そのコード結束具６の管理を含むコード配線作業が非常に面倒であるという問題を有する。
【０００５】
また、これによれば、特に、機器筐体４の小形化を促進する場合、コード結束具６を取付ける場所に制約を受けるために、その取付作業を含む配線作業がさらに面倒となる。
係る事情は、電子機器の電源用接続コードに限ることなく、例えば電子機器相互間を接続する機器接続用接続コードにおいても、同様のものである。
【０００６】
【発明が解決しようとする課題】
以上述べたように、従来の接続コードのコード位置決め手段では、そのコード配線作業が非常に面倒であるという問題を有する。
この発明は上記の事情に鑑みてなされたもので、簡便にして、容易な配線作業を実現し得、且つ、信頼性の高い確実なコード配線を実現し得るようにしたコード位置決め装置を提供することを目的とする。
【０００９】
【課題を解決するための手段】
この発明は、コード本体の一端にコード軸と直交する内部機器接続用の第１の接続部が設けられ、前記コード本体の他端に外部接続用の第２の接続部が設けられた前記第１の接続部が取付体に支持される接続コードと、前記取付体の前記第１の接続部の取付面に直交する軸回りに回動自在に支持され、前記接続コードの第１の接続部の前記取付体に平行で、コード軸を挟んだ２部位及び前記取付体に直交する１部位の少なくとも３部位を係止する第１の位置及び前記係止を解除する第２の位置を司る係止部が設けられたコード固定部材とを備えてコード位置決め装置を構成したものである。
【００１０】
上記構成によれば、接続コードは、コード固定部材を取付体に対して第２の位置に回動させた状態で、その第１の接続部を取付体に取付けられ、コード固定部材を取付体に対して第１の位置に回動させて、その係止部を第１の接続部の異なる３部位を係止させることにより、その配線位置で位置決めされる。従って、特別な取付工具を用いることなく、接続コードの位置決め及び位置決め解除が可能となり、保守点検を含む配線作業を、迅速にして、容易に行うことが可能となる。
【００１１】
【発明の実施の形態】
以下、この発明の実施の形態について、図面を参照して詳細に説明する。
図１はこの発明の一実施の形態に係るコード位置決め装置を示すもので、電子機器の機器筐体１０には、内部機器接続用の接続部、例えば横型機器接続プラグ１１が取付けられる。
【００１２】
この機器接続プラグ１１は、接続コードのコード本体１２の一端に、その接続端がコード軸に対して略直交して設けられ、機器筐体１０内の内部機器１３に電気的に接続される。そして、コード本体１２の他端には、外部接続用の接続部、例えば外部接続プラグ１４が設けられ、この外部接続プラグ１４は、例えば電源ソケット等に外部接続される。
【００１３】
また、上記機器筐体１０には、コード位置決め用のコード固定部材１５が機器接続プラグ１１に対応して矢印Ａ，Ｂ方向に回動自在に配設される（図２参照）。このコード固定部材１５は、例えば図３に示すようにその基端部に透孔１５ａが形成され、この透孔１５ａには、スペーサ部材１６が遊挿される。このスペーサ部材１６には、透孔１６ａが形成され、この透孔１６ａには、螺子部材１７がワッシャ１８を介して遊挿される。そして、この螺子部材１７は、その先端部が機器筐体１０に螺着される。これにより、コード固定部材１５は、スペーサ部材１６を介して矢印Ａ，Ｂ方向に回動自在に機器筐体１０に配設される。
【００１４】
上記コード固定部材１５は、機器接続プラグ１１の機器筐体１０と略平行なコード軸を挟んだ２部位に係止する第１及び第２の係止部１５ｂ，１５ｃ、機器筐体１０に直交する機器接続プラグ１１の部位を係止する第３の係止部１５ｄが設けられる。
【００１５】
コード固定部材１５は、矢印Ａ，Ｂ方向に回動付勢されると、上記スペーサ部材１６を介して同方向に回動され、その矢印Ａ方向の回動に連動して、第１乃至第３の係止部１５ｂ，１５ｃ，１５ｄが機器接続プラグ１１の３部位を係止して、機器接続プラグ１１の機器筐体１０からの離脱を阻止して位置決めする。また、コード固定部材１５は、矢印Ｂ方向に回動付勢されると、スペーサ部材１６を介して同方向に回動され、その第１乃至第３の係止部１５ｂ，１５ｃ，１５ｄが機器接続プラグ１１の３部位から離間され、機器接続プラグ１１の機器筐体１０からの離脱を許容する。
【００１６】
上記構成において、コード本体１２の機器接続プラグ１１は、機器筐体１０の所定の位置に、例えば螺子部材を用いて取付けられ、この取付状態で、機器筐体１０内に収容配置される印刷配線基板等の内部機器１３に電気的に接続される。この際、コード固定部材１５は、機器接続プラグ１１の機器筐体１０への取付を許容するように、最も矢印Ｂ方向に回動付勢される。
【００１７】
そして、コード固定部材１５は、機器接続プラグ１１が機器筐体１０に取付けられた状態で、矢印Ａ方向に回動付勢されて同方向に回動される。ここで、コード固定部材１５は、その第１乃至第３の係止部１５ｂ，１５ｃ，１５ｄが機器接続プラグ１１の３部位に係止され、該機器接続プラグ１１の機器筐体１０からの離脱を阻止してコード本体１２を機器筐体１０内に位置決めする。
【００１８】
また、機器接続プラグ１１を機器筐体１０から離脱する場合には、コード固定部材１５が反転されて矢印Ｂ方向に回動される。これにより、コード固定部材１５は、その第１乃至第３の係止部１５ｂ，１５ｃ，１５ｄが機器接続プラグの３部位から離間され、該機器接接続プラグ１１の機器筐体１０からの離脱を許容する。
【００１９】
このように、上記コード位置決め装置は、コード本体１２の機器接続プラグ１１の機器筐体１０に略平行で、コード軸を挟んだ２部位及び機器筐体１０に略直交する１部位の３部位を係止する第１の位置と、係止を解除する第２の位置を司る第１乃至第３の係止部１５ｂ，１５ｃ，１５ｄが設けられたコード固定部材１５を機器筐体１０に回動自在に設け、このコード固定部材１５の回動操作により、コード本体１２の横型機器接続プラグ１１の３部位を係止して位置決めし、あるいは係止を解除して位置決めを解除するように構成した。
【００２０】
これによれば、従来のように特別な取付工具を用いることなく、接続コードの位置決め及び位置決め解除が実現されるため、保守点検を含む配線作業を、迅速にして、容易に行うことが可能となる。
【００２１】
なお、上記実施の形態では、コード本体１２の機器接続プラグ１１の３部位を係止して該機器接続プラグ１１を位置決めするように構成した場合で説明したが、これに限ることなく、コード本体１２の機器接続プラグ１１の３部位以上を係止して位置決めするように構成してもよい。
【００２２】
また、この発明は、上記実施の形態では、横型機器接続プラグ１１をコード本体１２の一端に設けた接続ケーブルを用いて構成した場合で説明したが、これに限るとこなく、例えば図４に示すように直進型機器接続プラグ２０をコード本体１２に設けた接続コードに適用することが可能である。但し、図４においては、前記図１と同一部分について、同一符号を付して、その詳細な説明について省略する。
【００２３】
すなわち、コード固定部材１５には、機器筐体１０に対して略平行な機器接続プラグ２０の部位の周囲を係止する凹状の係止溝１５ｅを設ける。これにより、コード固定部材１５は、矢印Ａ，Ｂ方向に回動付せされると、スペーサ部材１６（図３参照）を介して同方向に回動され、矢印Ａ方向の回動により、その係止溝１５ｅが機器筐体１０から所定の間隔離間した機器接続プラグ２０の部位に係止され、該機器接続プラグ２０を機器筐体１０の対して位置決めする。そして、コード固定部材１５は、矢印Ｂ方向に反転されると、その係止溝１５ｅが機器接続プラグ２０の周囲から離間されて、該機器接続プラグ２０の機器筐体１０からの離脱を許容する。
【００２４】
なお、図４においては、コード固定部材１５の係止溝１５ｅを、機器接続プラグ２０の所定の部位の周囲を係止するように構成したが、これに限ることなく、コード固定部材１５の係止溝１５ｅを、例えば機器接続プラグ２０近傍のコード本体１２に対応して形成して、係止溝１５ｅでコード本体１２の周囲を係止して、機器接続プラグ２０を位置規制するように構成しても、略同様の効果が期待される。
【００２５】
さらに、上記各実施の形態では、機器接続プラグ１１，２０を機器筐体１０に配設するように構成した場合で説明したが、これに限ることなく、例えば機器筐体内のシステムパネル等の取付体に配設するような構成においても適用可能である。
【００２６】
また、上記各実施の形態では、コード本体１２の外部接続プラグ１４をコード軸と同軸的に設けた接続コードに適用した場合で説明したが、これに限ることなく、コード軸と直交する方向に接続端を設けた、いわゆる横型のプラグ構造のものにおいても適用可能である。
【００２７】
また、さらに、この発明は上記実施の形態で説明したコード固定部材１５の形状に限ることなく、各種の形状に形成することが可能である。よって、この発明、は、その他、この発明の要旨を逸脱しない範囲で種々の変形を実施し得ることは勿論のことである。
【００２８】
【発明の効果】
以上詳述したように、この発明によれば、簡便にして、容易な配線作業を実現し得、且つ、信頼性の高い確実なコード配線を実現し得るようにしたコード位置決め装置を提供することができる。
【図面の簡単な説明】
【図１】この発明の実施の形態に係るコード位置決め装置を示した図。
【図２】図１のコード固定部材を取出して示した図。
【図３】図のコード固定部材の取付け状態を示した図。
【図４】この発明の他の実施の形態を示した図。
【図５】従来のコード位置決め装置を示した図。
【符号の説明】
１０…機器筐体。
１１，２０…機器接続機プラグ。
１２…コード本体。
１３…内部機器。
１４…外部接続プラグ。
１５…コード固定部材。
１５ａ…透孔。
１５ｂ〜１５ｄ…第１乃至第３の係止部。
１５ｅ…係止溝。
１６…スペーサ。
１６ａ…透孔。
１７…螺子部材。
１８…ワッシャ。
【図１】
0003987175.tif 000002
【図２】
0003987175.tif 000003
【図３】
0003987175.tif 000004
【図４】
0003987175.tif 000005
【図５】
0003987175.tif 000006